(57)【要約】【課題】小屋裏床の開口部に対して小屋裏の下階から人が入り込む縦の動線とすることにより小屋裏空間を広く確保することを可能にすると共にこのような縦の動線でありながら上記小屋裏空間に容易且つ安全にアクセスできる小屋裏出入り構造を提供する。【解決手段】小屋裏の床１に形成された人が通れる大きさの開口部１ａと、上記開口部１ａの下方であって上記小屋裏の床１よりも低くて上記小屋裏の下階の床３よりは高い位置に設けられた踊り場２と、上記小屋裏の下階の床から上記踊り場に至るための階段５と、を備え、上記踊り場２に人が立って上記開口部１ａを通して上記小屋裏にアクセスできる構成とした。【選択図】図２
2012017576.tif 000002
【特許請求の範囲】
【請求項１】
小屋裏の床に形成された収納物の出し入れのための開口部と、上記開口部の下方であって上記小屋裏の床よりも低くて上記小屋裏の下階の床よりも高い位置に設けられており、人が立って上記開口部を通して上記小屋裏にアクセスできる踊り場と、上記小屋裏の下階の床から上記踊り場に至るための昇降手段と、を備えたことを特徴とする小屋裏出入り構造。
【請求項２】
請求項１に記載の小屋裏出入り構造において、上記踊り場の下方に収納部が形成されていることを特徴とする小屋裏出入り構造。
【請求項３】
請求項１又は請求項２に記載の小屋裏出入り構造において、上記踊り場と小屋裏の床の上面との間の距離を、７００ｍｍから１３００ｍｍの範囲としたことを特徴とする小屋裏出入り構造。
【請求項４】
請求項１〜請求項３のいずれか１項に記載の小屋裏出入り構造において、上記昇降手段の一方の側には家屋壁面が位置し、他方の側には壁内収納庫の背となる壁面が位置していることを特徴とする小屋裏出入り構造。
【発明の詳細な説明】
【技術分野】
【０００１】
この発明は、小屋裏へのアクセス（収納品の出し入れ及び移動等）の容易性及び安全性を向上させた小屋裏出入り構造に関する。
【背景技術】
【０００２】
従来、小屋裏へのアクセスを可能とするために、小屋裏床（天井）に収納梯子を設けておき、小屋裏の下階の廊下などから棒状部材で上記収納梯子のロックを外して当該収納梯子を廊下側へ下ろすことができるようしていた。
【０００３】
また、下記特許文献１は、階段を用いてスキップ床に上り、このスキップ床に人が立って小屋裏の収納所にアクセスする構造を開示している。
【０００４】
また、下記特許文献２は、階段を用いて踊り場に上り、この踊り場に人が立って小屋裏の収納空間にアクセスする構造を開示している。
【先行技術文献】
【特許文献】
【０００５】
【特許文献１】特許第４０９５４８５号公報
【特許文献２】特許第３７８１６４１号公報
【発明の開示】
【発明が解決しようとする課題】
【０００６】
しかしながら、上記収納梯子を用いる構造の場合、住人はこの収納梯子の途中の踏み板上に留まり、小屋裏の開口部から上半身を小屋裏内に臨ませて荷物の出し入れを行っていることが多いと考えられるが、このように踏み板上に留まった状態で安定して作業を行うのは容易なことでない。一方、人が楽に立って作業できるほどの高さを小屋裏は有していないことが多く、人が小屋裏に完全に入り込んだ状態で作業するのも楽ではない。また、特許文献１に開示された構造では、スキップ床に人が立って小屋裏の収納所にアクセスできるものの、スキップ床の部屋空間が小屋裏の収納所と一体となってしまうため、この部屋空間を快適に使うことができないおそれがある。また、特許文献２に開示された構造では、踊り場に人が立って小屋裏の収納空間にアクセスできるものの、上記収納梯子を用いた場合のように小屋裏の床の開口部に小屋裏下階の廊下等から人が入り込む縦の動線とはならず、小屋裏に対して人が横からアクセスする構造になってしまい、小屋裏空間を広く確保することができない。
【０００７】
この発明は、小屋裏床に設けた開口部に小屋裏の下階から人が入り込む縦の動線とすることにより小屋裏空間を広く確保することを可能にすると共にこのような縦の動線でありながら上記小屋裏空間に容易且つ安全にアクセス（収納品の出し入れ及び移動等）できる小屋裏出入り構造を提供することを課題とする。
【課題を解決するための手段】
【０００８】
この発明の小屋裏出入り構造は、上記の課題を解決するために、小屋裏の床に形成された収納物の出し入れのための開口部と、上記開口部の下方であって上記小屋裏の床よりも低くて上記小屋裏の下階の床よりも高い位置に設けられており、人が立って上記開口部を通して上記小屋裏にアクセスできる踊り場と、上記小屋裏の下階の床から上記踊り場に至るための昇降手段と、を備えたことを特徴とする。
【０００９】
上記構成であれば、小屋裏の下階から小屋裏の床の開口部に人が入り込む縦の動線となるので、小屋裏空間を広く確保できる。そして、上記踊り場は上記小屋裏の床よりも低くて上記小屋裏の下階の床よりも高い場所に位置し、この踊り場に人が立ち上記開口部を通して小屋裏収納空間にアクセス（収納品の出し入れ及び移動等）できるので、上記のような縦の動線でありながら上記アクセスを容易且つ安全に行うことができる。
【００１０】
上記の小屋裏出入り構造において、上記踊り場の下方に収納部が形成されているのがよい。これによれば、上記踊り場の下方空間が収納部として有効に利用されることになる。
【００１１】
これら構成の小屋裏出入り構造において、上記踊り場と小屋裏の床の上面との間の距離を、７００ｍｍから１３００ｍｍの範囲とするのがよい。この範囲であれば、上記踊り場に立った人は収納品の出し入れ人が立ち上記開口部を通して小屋裏収納空間にアクセスする
【００１２】
また、これら構成の小屋裏出入り構造において、上記昇降手段の一方の側には家屋壁面が位置し、他方の側には壁内収納庫の背となる壁面が位置しているのがよい。このように壁内収納庫の背となる壁面を位置させることで、上記他方の側に人がよろけても上記壁面に手をついて姿勢を建て直すことができ、上記昇降手段での昇り降りにおける安全性を高めながら収納スペースを増やすということが可能になる。
【発明の効果】
【００１３】
本発明であれば、上記小屋裏の床の開口部に小屋裏下階から人が入り込む縦の動線となるので、小屋裏空間を広く確保できる。そして、上記踊り場に人が立って上記開口部を通して小屋裏収納空間にアクセス（収納品の出し入れ及び移動等）するので、上記のような縦の動線でありながら上記アクセスの容易性及び安全性を高めることができるという効果を奏する。
【図面の簡単な説明】
【００１４】
【図１】本発明の実施形態の小屋裏出入り構造を示した斜視図である。
【図２】図１に示した小屋裏出入り構造の踊り場及びその周辺構造物を詳細に示した斜視図である。
【図３】図２に示した小屋裏出入り構造の間取り図である。
【図４】他の実施形態の小屋裏出入り構造の踊り場及びその周辺構造物を詳細に示した斜視図である。
【図５】図４に示した小屋裏出入り構造の間取り図である。
【発明を実施するための最良の形態】
【００１５】
次に、この発明の実施形態に係る小屋裏出入り構造を添付図面に基づいて具体的に説明する。なお、本発明に係る小屋裏出入り構造は、下記の実施形態に示したものに限定されず、その要旨を変更しない範囲において適宜変更して実施できるものである。
【００１６】
図１及び図２に示すように、小屋裏の床１には、収納物を出し入れできる大きさの開口部１ａが形成されている。この実施形態では、上記開口部１ａの幅を約９００ｍｍとし、長さを約１８００ｍｍとしたが、このような大きさに限るものではない。
【００１７】
上記開口部１ａの下方には、踊り場２が設けられている。この踊り場２は、上記小屋裏の床１よりも低くて上記小屋裏の下階の床３よりも高い箇所に位置している。上記小屋裏の下階は、例えば２階の居室空間或いは廊下空間である。この実施形態では、上記小屋裏の下階の高さを約２４００ｍｍとしており、上記踊り場２は、上記小屋裏の床１の上面から約９６０ｍｍ下方であって、上記下階の床３から約１７８０ｍｍ上方に位置している（小屋裏の床１の厚みは約３４０ｍｍである）。このような高さで上記踊り場２が設けられていると、人が上記踊り場２に立った状態でその人の腹部あたりの高さに小屋裏の床１の上面が位置し、上記踊り場２に人が立ち上記開口部１ａを通して上記小屋裏にアクセス（収納品の出し入れ及び移動等）できるようになる。また、この実施形態では、上記踊り場２と小屋裏の床１との間の移動が容易に行えるように上記踊り場２と小屋裏の床１との間に梯子４を設置している。
【００１８】
また、この実施形態では、上記踊り場２の幅を約８２０ｍｍとし、長さを約６００ｍｍとしている。上記の梯子４は上記踊り場２における上記６００ｍｍの範囲に収まる幅を有して配置されている。また、上記踊り場２と上記下階の床３との間の人の昇降を可能にする手段として階段５が上記踊り場２における上記８２００ｍｍ範囲に収まる幅を有して配置される。この実施形態では、上記階段５の幅は６００ｍｍよりも少し狭くしてあり、階段５の側板を除いた階段有効幅を約５３０ｍｍとしている。階段５がこのような有効幅を有することで、人が腕に荷物を抱えた状態で壁に当たることなく階段５を昇り降りすることができることが多くなる。また、踊り場２が上記のような広さを有すると、荷物を上げるときに一旦この踊り場２に荷物を置いて身軽になった状態で階段５を昇っていくことができる。なお、上記の階段５の他の寸法に関しては、蹴上げ（蹴込み板無し）を約２５０ｍｍ、踏み面を約１８０ｍｍ、勾配を約５５°に設定している。
【００１９】
上記階段５は上記踊り場２から取り外せるように設けられている。具体的には、この階段５の側板の上側端部の下面にそれぞれ切欠き５ａが形成されており、この切欠きの箇所に下向きの凸部が形成されている。そして、上記踊り場２の縁の上面には凹部が形成されており、上記階段５の凸部を上記凹部に嵌合できるようにしている。
【００２０】
また、この実施形態では、上記踊り場２の下方は収納部６となっており、この収納部６の天板が上記踊り場２を成している。上記収納部６は上記踊り場２よりも幾分狭く、奥行が約８８０ｍｍで幅が約５００ｍｍとなっている。また、収納部６の高さは上記踊り場２の高さ（約１７８０ｍｍ）から上記収納部６の天板の厚み（約１００ｍｍ）を引いた値となる。
【００２１】
更に、この実施形態では、上記階段５の一方の側には家屋壁面７が位置しており、他方の側には壁内収納庫８の背となる壁面８aが位置している。家屋壁面７と上記壁面８ａとの間隔は約６００ｍｍとなっている。壁内収納庫８の前面の位置は上記収納部６の前面の位置に一致させてあり、この場合の壁内収納庫８の上記壁面８aを含めた寸法は約３００ｍｍとなり、この３００ｍｍから上記壁面８ａの厚みなどを引いた約２３０ｍｍが壁内収納庫８の奥行寸法となる。なお、上記階段５の踊り場２に近い側では階段下方に収納空間として利用できる広い空間が存在することになる。この実施形態では、上記収納庫８のうち踊り場２に近い側の空間の下部には、奥行が例えば８００ｍｍ程度となるような下面キャスター付きの引出しボックスを置いている。
【００２２】
なお、上記収納部６には扉６ａが設けられている。また、壁内収納庫８には３つの扉８ｂ，８ｃ，8ｄを設けて収納空間を３つに区分けして利用している。また、壁内収納庫８の天板は上記踊り場２の位置よりも少し高くしてある。
【００２３】
以上説明した実施形態の小屋裏出入り構造であれば、小屋裏下階から小屋裏の床１の開口部１ａに人が入り込む縦の動線となるので、小屋裏空間を広く確保することができる。そして、上記踊り場２は上記小屋裏の床１よりも低くて上記小屋裏の下階の床３よりも高い場所に位置し、この踊り場２に人が立ち上記開口部１ａを通して小屋裏収納空間にアクセスできるので、上記のような縦の動線でありながら上記アクセスを容易且つ安全に行うことができる。
【００２４】
また、上記踊り場２の下方に収納部６を形成したので、上記踊り場２の下方空間が収納部として有効に利用されることになる。
【００２５】
また、上記小屋裏の下階の床３から上記踊り場２に至る階段５が取り外し可能に設けらており、上記階段５を取り外すことによって、例えば、家屋壁面７に壁紙を貼る作業等が容易に行えることになる。また、上記階段５は蹴込み板を有しないので、踏み板と踏み板の間から掃除機のヘッドを入れて階段５下の床を掃除することが可能である。また、上記階段５の一方の側には家屋壁面７が位置し、他方の側には壁内収納庫８の背となる壁面８aが位置しているので、上記他方の側に人がよろけても上記壁面8aに手をついて姿勢を建て直すことができ、上記階段5の昇り降りにおける安全性を高めながら収納スペースを増やすということが可能になる。
【００２６】
以上説明した構成に限るものではなく、例えば、図４及び図５に示すように、壁内収納庫８を備えない構成とすることも可能である。この場合には、階段５の他方の側に手摺り９を設けておくこととする。また、この手摺り９に替えて上記壁面８ａに相当する壁だけを設けておくことも考えられる。
【００２７】
また、小屋裏の床1における開口部１ａについては、上記床１の略中央位置に形成してもよいし、床１の端付近に形成してもよい。ただし、上記踊り場２上での人の作業性を考慮すると、当該踊り場２からその真上の小屋裏の天面までの高さが例えば約１６００ｍｍ〜約２０００ｍｍ程度となる位置に上記開口部１ａを形成しその下方に踊り場２を設けておくのがよい。上記踊り場２からその真上の小屋裏の天面までの高さを２０００ｍｍ以上としてもよい。
【００２８】
また、上記の例では、踊り場２と小屋裏の床１の上面との間の距離を約９６０ｍｍとしたが、これに限るものではない。この距離は、人が踊り場２上に立って上記床１上に荷物を置くときの作業性を考慮して決めればよいのであり、一例として、７００ｍｍ（一般的な机の高さ）から１３００ｍｍ（一般男性の脇の高さ）の範囲で上記踊り場２の高さを選択して設計することが考えられる。
【００２９】
また、昇降手段として取り外し可能な階段５を示したが、これに限るものではない。例えば、昇降手段として電動モータを用いる簡易なリフト装置を設けることも可能である。
【００３０】
また、上記実施形態では、開口部１ａの長さを約１８００ｍｍとしたことで、階段５の第１段或いは第２弾目といった踏み板あたりの上方から上記開口部１ａが位置することになり、比較的背の高い荷物を小屋裏に運ぶときでも小屋裏の床１に荷物が当たるようなことは殆ど無くなると考えられる。もちろん、開口部１ａの長さをこのような長さに限定するものではない。
【符号の説明】
【００３１】
１      小屋裏の床
１ａ    開口部
２      踊り場
３      小屋裏の下階の床
４      梯子
５      階段
６      収納部
７      家屋壁面
８      壁内収納庫
【図１】
2012017576.tif 000003
【図２】
2012017576.tif 000004
【図３】
2012017576.tif 000005
【図４】
2012017576.tif 000006
【図５】
2012017576.tif 000007